(57)【特許請求の範囲】
【請求項１】
内周面に防蝕被覆層が形成されている金属管の端部に、当該金属管の少なくとも金属部の端面を覆う端面カバー部と前記金属管の外周面における端面側部位を覆う外側筒状カバー部とを備えた被覆カバーが管軸芯方向から嵌合装着され、この被覆カバーの端面カバー部の内面と前記金属管の金属部の端面との対向面間には、金属部の端面を覆う状態でゴム系接着剤が設けられているとともに、前記被覆カバーの端面カバー部の内側縁には、前記被覆カバーの嵌合装着時の押し込み操作に連れてゴム系接着剤の一部を金属管の防蝕被覆層の端面側に向かって移動案内する内側筒状カバー部が管軸芯方向に沿って又は略沿って突出形成され、
前記被覆カバーの外側筒状カバー部の内周面と金属管の外周面との間に、前記被覆カバーの嵌合装着時の押し込み操作に連れてゴム系接着剤の一部が入り込み可能な環状空隙が形成され、
前記被覆カバーの端面カバー部の内面と外側筒状カバー部の内周面とで形成される環状の入隅部が傾斜面又は弧状面に形成されている金属管の端部防蝕構造。
【請求項２】
内周面に防蝕被覆層が形成されている金属管の端部に、当該金属管の少なくとも金属部の端面を覆う端面カバー部と前記金属管の外周面における端面側部位を覆う外側筒状カバー部とを備えた被覆カバーが管軸芯方向から嵌合装着され、この被覆カバーの端面カバー部の内面と前記金属管の金属部の端面との対向面間には、金属部の端面を覆う状態でゴム系接着剤が設けられているとともに、前記被覆カバーの端面カバー部の内側縁には、前記被覆カバーの嵌合装着時の押し込み操作に連れてゴム系接着剤の一部を金属管の防蝕被覆層の端面側に向かって移動案内する内側筒状カバー部が管軸芯方向に沿って又は略沿って突出形成され、
前記金属管の端部に対して前記被覆カバーが所定の嵌合装着状態にあるとき、当該被覆カバーの内側筒状カバー部の先端面が、金属管の金属部の端面を通る管径方向に沿った平面上又はその近傍に配置されている金属管の端部防蝕構造。
【請求項３】
前記外側筒状カバー部と端面カバー部及び内側筒状カバー部とで形成される環状凹部内に設けられたゴム系接着剤の管軸芯方向長さが、前記端面カバー部の内面からの内側筒状カバー部の管軸芯方向長さよりも大に構成されている請求項１又は２に記載の金属管の端部防蝕構造。
【請求項４】
内周面に防蝕被覆層が形成されている金属管の端部に、当該金属管の少なくとも金属部の端面を覆う端面カバー部と前記金属管の外周面における端面側部位を覆う外側筒状カバー部とを備えた被覆カバーが管軸芯方向から嵌合装着され、この被覆カバーの端面カバー部の内面と前記金属管の金属部の端面との対向面間には、金属部の端面を覆う状態でゴム系接着剤が設けられているとともに、前記被覆カバーの端面カバー部の内側縁には、前記被覆カバーの嵌合装着時の押し込み操作に連れてゴム系接着剤の一部を金属管の防蝕被覆層の端面側に向かって移動案内する内側筒状カバー部が管軸芯方向に沿って又は略沿って突出形成され、
前記外側筒状カバー部と端面カバー部及び内側筒状カバー部とで形成される環状凹部内に設けられたゴム系接着剤の管軸芯方向長さが、前記端面カバー部の内面からの内側筒状カバー部の管軸芯方向長さよりも大に構成されている金属管の端部防蝕構造。
【請求項５】
前記被覆カバーには、前記端面カバー部から遠ざかる一端側ほど金属管の外径よりも小径となるテーパー状の外面を備えた挿入ガイド部が一体形成されている請求項１〜４のいずれか１項に記載の金属管の端部防蝕構造。
【請求項６】
請求項１〜５のいずれか１項に記載の金属管の端部防蝕構造に用いられる前記被覆カバーであって、前記外側筒状カバー部と端面カバー部及び内側筒状カバー部とで形成される環状凹部内に前記ゴム系接着剤が設けられている被覆カバー。
【発明の詳細な説明】
【技術分野】
【０００１】
本発明は、水道管やガス管或いはケーブル類を挿通する保護管などとして用いられる金属管の端部防蝕構造及びそれに用いられる被覆カバーの改良に関する。
【背景技術】
【０００２】
従来の金属管の端部防蝕構造では、モルタルライニングや粉体塗装等によって内周面に防蝕被覆層が形成されている金属管の端部（切断端部）に、当該金属管の金属部（防蝕被覆層を除く金属管体）の端面を覆う端面カバー部と金属部の外周面における端面側部位を覆う外側筒状カバー部とを備えた被覆カバーが管軸芯方向から嵌合装着され、この被覆カバーの端面カバー部の内面と前記金属管の端面との対向面間には、金属管の金属部の端面（切断端面）を覆う状態でゴム系接着剤が設けられている（特許文献１参照）。
【先行技術文献】
【特許文献】
【０００３】
【特許文献１】実開平７−２２１９８号公報
【発明の概要】
【発明が解決しようとする課題】
【０００４】
従来の金属管の端部防蝕構造では、金属管とこれの端部に嵌合装着された被覆カバーとを接合（接着）するためのゴム系接着剤を利用して、金属管の金属部の端面を被覆することができるから、金属部の端面の腐食を防止することができるとともに、金属部の端面に切断による凹凸が発生していても、この凹凸をゴム系接着剤により吸収することができ、防蝕不良の発生を抑制することができる利点がある。
【０００５】
しかし、前記金属管の切断端部に外装された被覆カバーの端面カバー部の内周縁が、金属部と防蝕被覆層との境界相当位置で自由端に構成され、この端面カバー部の内周縁と金属部の端面との間に径方向内方に向かって開口する円環状開口が形成されているため、前記被覆カバーの端面カバー部と金属管の端面との対向面間に設けられたゴム系接着剤の一部が、被覆カバーの嵌合装着時における押圧操作に連れて前記円環状開口から径方向内方に向かって管路側に大きくはみ出し易い。
【０００６】
そして、前記ゴム系接着剤の一部が金属管の防蝕被覆層の内周面よりも径方向内方に大きくはみ出した場合、例えば、前記金属管が水道管の場合には、管路内にはみ出したゴム系接着剤のはみ出し部が水流で振動して被覆カバーの離脱を誘発する可能性があり、また、前記金属管がケーブル類を挿通する保護管の場合には、管路内にはみ出したゴム系接着剤のはみ出し部に挿通されるケーブル類の先端が引っ掛かる不都合がある。
【０００７】
そのため、金属管の端部に被覆カバーを嵌合装着したのち、この被覆カバーの端面カバー部の内周縁と金属部の端面との間に形成されている円環状開口から径方向内方にはみ出したゴム系接着剤のはみ出し部をカッター等で除去しなければならず、その除去作業に多くの手間を要していた。
【０００８】
また、前記被覆カバーの端面カバー部と金属管の端面との対向面間に設けられたゴム系接着剤の径方向寸法を、金属管の金属部の径方向の厚み寸法よりも短くして、径方向内方へのゴム系接着剤のはみ出しを抑制することが考えられるが、前記金属管の種類によって径方向の厚みが異なり、例えば、水道管の場合では、内面モルタルライニングの１種管と３種管、内面粉体塗装の１種管と３種管等の種類によって径方向の厚みが異なるため、ゴム系接着剤の径方向寸法を金属管の種類に応じて変える必要性があり、作業の煩雑化を招来する不都合がある。
【０００９】
本発明は、上述の実状に鑑みて為されたものであって、その主たる課題は、前記被覆カバーの端面カバー部と金属管の端面との対向面間に設けられたゴム系接着剤の一部が、被覆カバーの嵌合装着時における押圧操作によって管路内に大きくはみ出すことを抑制して、金属管の端部（切断端部）に対する防蝕処理を能率良く確実に行うことのできる金属管の端部防蝕構造及びそれに用いられる被覆カバーを提供する点にある。
【課題を解決するための手段】
【００１０】
本発明による金属管の端部防蝕構造の第１の特徴構成は、内周面に防蝕被覆層が形成されている金属管の端部に、当該金属管の少なくとも金属部の端面を覆う端面カバー部と前記金属管の外周面における端面側部位を覆う外側筒状カバー部とを備えた被覆カバーが管軸芯方向から嵌合装着され、この被覆カバーの端面カバー部の内面と前記金属管の金属部の端面との対向面間には、金属部の端面を覆う状態でゴム系接着剤が設けられているとともに、前記被覆カバーの端面カバー部の内側縁には、前記被覆カバーの嵌合装着時の押し込み操作に連れてゴム系接着剤の一部を金属管の防蝕被覆層の端面側に向かって移動案内する内側筒状カバー部が管軸芯方向に沿って又は略沿って突出形成され、
前記被覆カバーの外側筒状カバー部の内周面と金属管の外周面との間に、前記被覆カバーの嵌合装着時の押し込み操作に連れてゴム系接着剤の一部が入り込み可能な環状空隙が形成され、
前記被覆カバーの端面カバー部の内面と外側筒状カバー部の内周面とで形成される環状の入隅部が傾斜面又は弧状面に形成されている点にある。
【００１１】
上記構成によれば、前記金属管の端部に対して被覆カバーを管軸芯方向から押し込み操作して嵌合装着したとき、この被覆カバーの端面カバー部の内面と金属管の端面との対向面間に設けられたゴム系接着剤が挟圧されるが、このゴム系接着剤の径方向内方への移動は、前記端面カバー部の内側縁から管軸芯方向に沿って又は略沿って突出形成された内側筒状カバー部で阻止され、この内側筒状カバー部の外周面（径方向外方側の周面）に沿って管軸芯方向側に移動案内されるゴム系接着剤の一部が金属管の防蝕被覆層の端面又は当該防蝕被覆層の端面とこれに連なる内周面に接触する。
【００１２】
したがって、前記外側筒状カバー部と端面カバー部及び内側筒状カバー部とで形成される環状凹部内に充満するゴム系接着剤で金属管の金属部（防蝕被覆層を除く金属管体）の端面を確実に被覆しながらも、ゴム系接着剤の一部が管路側に大きくはみ出すことを抑制することができ、金属管の端部（切断端部）に対する防蝕処理を能率良く確実に行うことができる。
【００１４】
また、前記金属管の端部に対して被覆カバーを管軸芯方向から押し込み操作して嵌合装着したとき、この被覆カバーの端面カバー部の内面と金属管の端面との対向面間に設けられたゴム系接着剤の一部が、被覆カバーの外側筒状カバー部の内周面と金属管の外周面との間に形成された環状空隙に入り込むから、金属管の外周面の端縁が切断時に損傷して地肌が露出していても、この露出する地肌部分を環状空隙に入り込んだゴム系接着剤で被覆することができ、金属管の切断端部に対する防蝕処理をより確実に行うことができる。
さらに、前記金属管の端部に対して被覆カバーを管軸芯方向から押し込み操作して嵌合装着したとき、被覆カバーの端面カバー部の内面と外側筒状カバー部の内周面との環状の入隅部を構成する傾斜面又は弧状面により、被覆カバーの端面カバー部と金属管の端面との対向面間に設けられたゴム系接着剤の一部が、被覆カバーの外側筒状カバー部の内周面と金属管の外周面との間に形成された環状空隙側に効率よく押し込まれるため、金属管の外周面の端縁に対する防蝕処理をより確実、良好に行うことができる。
【００１５】
本発明による金属管の端部防蝕構造の第２の特徴構成は、内周面に防蝕被覆層が形成されている金属管の端部に、当該金属管の少なくとも金属部の端面を覆う端面カバー部と前記金属管の外周面における端面側部位を覆う外側筒状カバー部とを備えた被覆カバーが管軸芯方向から嵌合装着され、この被覆カバーの端面カバー部の内面と前記金属管の金属部の端面との対向面間には、金属部の端面を覆う状態でゴム系接着剤が設けられているとともに、前記被覆カバーの端面カバー部の内側縁には、前記被覆カバーの嵌合装着時の押し込み操作に連れてゴム系接着剤の一部を金属管の防蝕被覆層の端面側に向かって移動案内する内側筒状カバー部が管軸芯方向に沿って又は略沿って突出形成され、
前記金属管の端部に対して前記被覆カバーが所定の嵌合装着状態にあるとき、当該被覆カバーの内側筒状カバー部の先端面が、金属管の金属部の端面を通る管径方向に沿った平面上又はその近傍に配置されている点にある。
【００１６】
上記構成によれば、前記金属管の端部に対して被覆カバーを管軸芯方向から押し込み操作して嵌合装着したとき、この被覆カバーの端面カバー部の内面と金属管の端面との対向面間に設けられたゴム系接着剤が挟圧されるが、このゴム系接着剤の径方向内方への移動は、前記端面カバー部の内側縁から管軸芯方向に沿って又は略沿って突出形成された内側筒状カバー部で阻止され、この内側筒状カバー部の外周面（径方向外方側の周面）に沿って管軸芯方向側に移動案内されるゴム系接着剤の一部が金属管の防蝕被覆層の端面又は当該防蝕被覆層の端面とこれに連なる内周面に接触する。
したがって、前記外側筒状カバー部と端面カバー部及び内側筒状カバー部とで形成される環状凹部内に充満するゴム系接着剤で金属管の金属部（防蝕被覆層を除く金属管体）の端面を確実に被覆しながらも、ゴム系接着剤の一部が管路側に大きくはみ出すことを抑制することができ、金属管の端部（切断端部）に対する防蝕処理を能率良く確実に行うことができる。
また、前記金属管の種類によって、被覆カバーの内側筒状カバー部の内径が金属管の防蝕被覆層の内径よりも大きく、防蝕被覆層の外径よりも小さくなっている場合は、内側筒状カバー部の先端が防蝕被覆層の端面に当接又は近接し、ゴム系接着剤の径方向内方へのはみ出し移動を効果的に抑制することができる。
【００１７】
また、前記金属管の種類によって、被覆カバーの内側筒状カバー部の内径が金属管の防蝕被覆層の外径よりも大きくなっている場合では、金属管の防蝕被覆層の内周面と被覆カバーの内側筒状カバー部の内周面との間の環状開口が管軸芯方向に向かって開口し、且つ、ゴム系接着剤の一部を内側筒状カバー部の外周面（径方向外方側の周面）に沿って管軸芯方向側に移動案内するため、ゴム系接着剤の一部が防蝕被覆層の内周面に接着して径方向内方への移動に対する抵抗となり、従来に比してゴム系接着剤の一部が内側筒状カバー部の内周面（径方向内方側の周面）よりも径方向内方側に大きくはみ出し移動することを効果的に抑制することができる。
【００１８】
さらに、前記金属管の端部に対して被覆カバーを管軸芯方向から押し込み操作して嵌合装着する際、前記防蝕被覆層の端面をストッパー面又は最大押し込み操作表示面として利用することができるから、内側筒状カバー部の嵌合装着操作を確実、容易に行うことができる。
【００１９】
本発明による金属管の端部防蝕構造の第３の特徴構成は、前記外側筒状カバー部と端面カバー部及び内側筒状カバー部とで形成される環状凹部内に設けられたゴム系接着剤の管軸芯方向長さが、前記端面カバー部の内面からの内側筒状カバー部の管軸芯方向長さよりも大に構成されている点にある。
【００２０】
上記構成によれば、前記金属管の端部に対して被覆カバーを管軸芯方向から所定嵌合装着位置にまで押し込み操作した状態では、前記被覆カバーの環状凹部と金属管の端面とで形成される接着剤充填空間内にゴム系接着剤を確実に充満させることができ、金属管の端部（切断端部）に対する防蝕処理の確実化を図ることができる。
【００２１】
本発明による金属管の端部防蝕構造の第４の特徴構成は、内周面に防蝕被覆層が形成されている金属管の端部に、当該金属管の少なくとも金属部の端面を覆う端面カバー部と前記金属管の外周面における端面側部位を覆う外側筒状カバー部とを備えた被覆カバーが管軸芯方向から嵌合装着され、この被覆カバーの端面カバー部の内面と前記金属管の金属部の端面との対向面間には、金属部の端面を覆う状態でゴム系接着剤が設けられているとともに、前記被覆カバーの端面カバー部の内側縁には、前記被覆カバーの嵌合装着時の押し込み操作に連れてゴム系接着剤の一部を金属管の防蝕被覆層の端面側に向かって移動案内する内側筒状カバー部が管軸芯方向に沿って又は略沿って突出形成され、
前記外側筒状カバー部と端面カバー部及び内側筒状カバー部とで形成される環状凹部内に設けられたゴム系接着剤の管軸芯方向長さが、前記端面カバー部の内面からの内側筒状カバー部の管軸芯方向長さよりも大に構成されている点にある。
【００２２】
上記構成によれば、前記金属管の端部に対して被覆カバーを管軸芯方向から押し込み操作して嵌合装着したとき、この被覆カバーの端面カバー部の内面と金属管の端面との対向面間に設けられたゴム系接着剤が挟圧されるが、このゴム系接着剤の径方向内方への移動は、前記端面カバー部の内側縁から管軸芯方向に沿って又は略沿って突出形成された内側筒状カバー部で阻止され、この内側筒状カバー部の外周面（径方向外方側の周面）に沿って管軸芯方向側に移動案内されるゴム系接着剤の一部が金属管の防蝕被覆層の端面又は当該防蝕被覆層の端面とこれに連なる内周面に接触する。
したがって、前記外側筒状カバー部と端面カバー部及び内側筒状カバー部とで形成される環状凹部内に充満するゴム系接着剤で金属管の金属部（防蝕被覆層を除く金属管体）の端面を確実に被覆しながらも、ゴム系接着剤の一部が管路側に大きくはみ出すことを抑制することができ、金属管の端部（切断端部）に対する防蝕処理を能率良く確実に行うことができる。
また、前記金属管の端部に対して被覆カバーを管軸芯方向から所定嵌合装着位置にまで押し込み操作した状態では、前記被覆カバーの環状凹部と金属管の端面とで形成される接着剤充填空間内にゴム系接着剤を確実に充満させることができ、金属管の端部（切断端部）に対する防蝕処理の確実化を図ることができる。
【００２３】
本発明による金属管の端部防蝕構造の第５の特徴構成は、前記被覆カバーには、前記端面カバー部から遠ざかる一端側ほど金属管の外径よりも小径となるテーパー状の外面を備えた挿入ガイド部が一体形成されている点にある。
【００２４】
上記構成によれば、前記被覆カバーが嵌合装着されている金属管を他の受口管部に挿入接続するとき、被覆カバーに一体形成された挿入ガイド部のテーパー状外面によって負荷の少ない状態でスムーズに挿入接続することができる。
【００２５】
本発明による第６の特徴構成は、上記第１〜第５の特徴構成で記載した金属管の端部防蝕構造に用いられる前記被覆カバーであって、前記外側筒状カバー部と端面カバー部及び内側筒状カバー部とで形成される環状凹部内に前記ゴム系接着剤が設けられている点にある。
【００２６】
上記構成によれば、上記第１〜第５の特徴構成で記載した格別の作用、効果を奏することができる。
なお、金属管の端部防蝕構造では、内周面に防蝕被覆層が形成されている金属管の端部に、当該金属管の少なくとも金属部の端面を覆う端面カバー部と前記金属管の外周面における端面側部位を覆う外側筒状カバー部とを備えた被覆カバーが管軸芯方向から嵌合装着され、この被覆カバーの端面カバー部の内面と前記金属管の金属部の端面との対向面間には、金属部の端面を覆う状態でゴム系接着剤が設けられているとともに、前記被覆カバーの端面カバー部の内側縁には、前記被覆カバーの嵌合装着時の押し込み操作に連れてゴム系接着剤の一部を金属管の防蝕被覆層の端面側に向かって移動案内する内側筒状カバー部が管軸芯方向に沿って又は略沿って突出形成されていてもよい。
【図面の簡単な説明】
【００２７】
【図１】本願発明の第１実施形態を示す管継手構造の縦断側面図
【図２】端部防蝕構造の拡大縦断側面図
【図３】（ａ）、（ｂ）は被覆カバーの半断面図と正面図
【図４】（ａ）〜（ｄ）は４種類のダクタイル鋳鉄管に被覆カバーを嵌合装着したときの要部の拡大縦断側面図
【発明を実施するための形態】
【００２８】
〔第１実施形態〕
図１は、金属管の一例である流体管同士を連通接続する、或いは、流体管と管継手とを連通接続する場合などに用いられる管接続構造の一例を示し、流体管の一例である鋳鉄製（ダクタイル鋳鉄製）の水道管Ｐ１の受口管部１に、所定寸法に切断された流体管（切管）の一例である鋳鉄製（ダクタイル鋳鉄製）の水道管Ｐ２の挿口管部２が管軸芯方向から伸縮自在に挿入され、前記受口管部１の内周面に形成した周溝１ａには、前記挿口管部２の外周面との間を密封するシール材３が装着されている。
【００２９】
前記挿口管部２の外周面と受口管部１の外周面の端部とに亘る部位には、受口管部１の外周面の先端部に突出形成された環状突起１ｂに対して管軸芯方向から抜止め係合可能な離脱阻止状態で受口管部１の外周面に径方向から当接する係合突起４ａ及び前記挿口管部２の外周面に径方向から当接する突起４ｂを備えた分割構造の金属製の連結輪４が、ボルト等の締結具で脱着可能に締付け固定されている。
【００３０】
前記挿口管部２の外周面側における連結輪４に続く部位には、当該連結輪４に形成された環状係止凹部４ｃに対して径方向外方から係合する離脱阻止突起５ａを備えた分割構造の金属製の離脱防止輪５が、ボルト等の締結具で脱着可能に締付け固定され、この離脱防止輪５の内周面に形成した凹部５ｂには、挿口管部２の外周面に食込み可能な金属製の抜止め部材６が装着されている。
【００３１】
前記受口管部１の内周面及び挿口管部２の内周面には、モルタルライニングや樹脂（エポキシ樹脂系やアクリル樹脂系等）の粉体塗装によって防蝕被覆層が形成されているとともに、前記受口管部１の外周面及び挿口管部２の外周面には、エポキシ樹脂系やアクリル樹脂系等の樹脂塗装による防蝕塗膜層が形成されている。
【００３２】
前記挿口管部２の切断端部に施される端部防蝕構造は、図２〜図４に示すように、当該挿口管部２の少なくとも金属部（防蝕被覆層２Ｂを除く金属管体の一例であるダクタイル鋳鉄の管体）２Ａの端面２ａを覆う円環状の端面カバー部７Ａと前記挿口管部２の外周面における端面側部位を覆う円筒状の外側筒状カバー部７Ｂとを備えた合成樹脂製（例えば、高密度ポリエチレン製）の被覆カバー７が管軸芯方向から嵌合装着され、この被覆カバー７の端面カバー部７Ａと挿口管部２の金属部２Ａの端面２ａとの対向面間には、金属部２Ａの端面２ａを覆う状態でゴム系接着剤８が設けられているとともに、前記被覆カバー７の端面カバー部７Ａの内側縁（径方向内方の周縁）には、前記被覆カバー７の嵌合装着時の押し込み操作に連れてゴム系接着剤８の一部を挿口管部２の防蝕被覆層２Ｂの端面側に向かって管軸芯方向に移動案内する円筒状の内側筒状カバー部７Ｃが管軸芯方向に沿って一体的に突出形成されている。
【００３３】
前記被覆カバー７の外側筒状カバー部７Ｂと端面カバー部７Ａ及び内側筒状カバー部７Ｃとにより、挿口管部２の金属部２Ａに向かって開口する環状凹部７Ｄが形成されているとともに、前記被覆カバー７の端面カバー部７Ａには、外側筒状カバー部７Ｂ及び内側筒状カバー部７Ｃの存在側とは反対側に管軸芯方向に沿って突出し、且つ、端面カバー部７Ａから遠ざかる一端側が挿口管部２の外径よりも小径となるテーパー状の外面７ａを備えた裁頭円錐筒状の挿入ガイド部７Ｅが一体形成されている。
【００３４】
前記挿口管部２の切断端部に対して被覆カバー７が所定の嵌合装着状態にあるとき、当該被覆カバー７の内側筒状カバー部７Ｃの先端面７ｂが、挿口管部２の金属部２Ａの端面２ａを通る管径方向に沿った平面上に配置されているとともに、前記環状凹部７Ｄ内に装着されたゴム系接着剤８の管軸芯方向長さＬ１が、前記端面カバー部７Ａの内面からの内側筒状カバー部７Ｃの管軸芯方向長さＬ２よりも大に構成されている。
【００３５】
前記被覆カバー７の外側筒状カバー部７Ｂの内径が、挿口管部２の外径よりも大径に構成され、被覆カバー７の外側筒状カバー部７Ｂの内周面と挿口管部２の外周面との間に、前記被覆カバー７の嵌合装着時の押し込み操作に連れてゴム系接着剤８の一部が入り込み可能な環状空隙９が形成されているとともに、前記外側筒状カバー部７Ｂの内周面と内側筒状カバー部７Ｃの外周面（径方向外方側の周面）との間の径方向寸法が、装着対象管の種類の中で最大値を示す挿口管部２の金属部２Ａの最大径方向厚みよりも少し大に構成されている。
【００３６】
前記被覆カバー７の端面カバー部７Ａの内面と外側筒状カバー部７Ｂの内周面とで形成される環状の入隅部７ｄが、端面カバー部７Ａの内面側に近づくほど小径となる傾斜面に形成され、前記挿口管部２の切断端部に対して被覆カバー７を管軸芯方向から押し込み操作して嵌合装着したとき、前記入隅部７ｄを構成する前記傾斜面により、被覆カバー７の端面カバー部７Ａと挿口管部２の金属部２Ａの端面２ａとの対向面間に設けられたゴム系接着剤８の一部を、被覆カバー７の外側筒状カバー部７Ｂの内周面と挿口管部２の外周面との間に形成されている前記環状空隙９側に効率よく押し込むように構成してある。
【００３７】
そして、前記被覆カバー７の外側筒状カバー部７Ｂの内周面と挿口管部２の外周面との間に形成された環状空隙９にゴム系接着剤８の一部を入り込ませることにより、挿口管部２の外周面に施された防蝕塗膜層の端縁が切断時に損傷して地肌が露出していても、この露出する地肌部分を環状空隙９に入り込んだゴム系接着剤８で被覆することができ、挿口管部２の切断端部に対する防蝕処理をより確実に行うことができる。
【００３８】
図４（ａ）は、水道管Ｐ２を構成する内面モルタルライニングのダクタイル鋳鉄管の１種管であり、この１種管の挿口管部２の金属部２Ａの厚みｔ１と防蝕被覆層２Ｂの厚みｔ２との合計厚みが最も大きな寸法となるため、前記挿口管部２の切断端部に対して被覆カバー７が所定の嵌合装着状態にあるとき、前記被覆カバー７の内側筒状カバー部７Ｃの先端面７ｂが、金属部２Ａの内周面近くの防蝕被覆層２Ｂの端面に当接する。
【００３９】
そして、前記挿口管部２の切断端部に対して被覆カバー７を管軸芯方向から押し込み操作して嵌合装着したとき、この被覆カバー７の端面カバー部７Ａと挿口管部２の切断端面との対向面間に設けられたゴム系接着剤８が挟圧されるが、このゴム系接着剤８の径方向内方への移動は、前記端面カバー部７Ａの内側縁から管軸芯方向に沿って突出形成された内側筒状カバー部７Ｃの外周面（径方向外方側の周面）で阻止され、この内側筒状カバー部７Ｃの外周面に沿って管軸芯方向に移動案内される。
【００４０】
前記内側筒状カバー部７Ｃの先端面７ｂ及びゴム系接着剤８の一部が防蝕被覆層２Ｂの端面に接触し、被覆カバー７の環状凹部７Ｄと挿口管部２の切断端面とで形成される接着剤充填空間内にゴム系接着剤８を確実に充満させて、挿口管部２の切断端部に対する防蝕処理の確実化を図りながらも、ゴム系接着剤８の一部が径方向内方の管路側に大きくはみ出すことを抑制することができ、挿口管部２の切断端部に対する防蝕処理を能率良く確実に行うことができる。
【００４１】
前記被覆カバー７の嵌合装着前においては、前記環状凹部７Ｄ内に装着されたゴム系接着剤８の管軸芯方向長さＬ１が、前記端面カバー部７Ａの内面からの内側筒状カバー部７Ｃの管軸芯方向長さＬ２よりも大に構成されている、つまり、前記ゴム系接着剤８の一部が環状凹部７Ｄから突出する状態に構成されているが、被覆カバー７の押し込み操作に連れてゴム系接着剤８が管軸芯方向で圧縮され、且つ、防蝕被覆層２Ｂの端面が切断によって多少の凹凸が発生しているので、この凹凸にゴム系接着剤８が入り込み、ゴム系接着剤８の一部が内側筒状カバー部７Ｃの内周面（径方向内方側の周面）よりも径方向内方側にはみ出し移動することを効果的に抑制することができる。
【００４２】
図４（ｂ）は、水道管Ｐ２を構成する内面モルタルライニングのダクタイル鋳鉄管の３種管であり、防蝕被覆層２Ｂの厚みｔ２は内面モルタルライニングの１種管と同じであるが、金属部２Ａの厚みｔ１は内面モルタルライニングの１種管よりも薄くなる。
そのため、前記挿口管部２の切断端部に対して被覆カバー７が所定の嵌合装着状態にあるとき、前記被覆カバー７の内側筒状カバー部７Ｃの先端面７ｂが、防蝕被覆層２Ｂの端面の径方向中間部位に当接する。
【００４３】
図４（ｃ）は、水道管Ｐ２を構成する内面エポキシ樹脂粉体塗装のダクタイル鋳鉄管の１種管であり、金属部２Ａの厚みｔ１は内面モルタルライニングの１種管と同じであるが、防蝕被覆層２Ｂの厚みｔ２は、内面モルタルライニングの１種管よりもかなり薄くなる。
そのため、前記挿口管部２の切断端部に対して被覆カバー７が所定の嵌合装着状態にあるとき、前記被覆カバー７の内側筒状カバー部７Ｃの先端面７ｂの外周面（径方向外方側の周面）寄り部位が、防蝕被覆層２Ｂの端面の径方向内方寄りの部位に当接する。
【００４４】
図４（ｄ）は、水道管Ｐ２を構成する内面エポキシ樹脂粉体塗装のダクタイル鋳鉄管の３種管であり、金属部２Ａの厚みｔ１は内面モルタルライニングの３種管と同じであり、防蝕被覆層２Ｂの厚みｔ２は、内面エポキシ樹脂粉体塗装の１種管と同じである。
そのため、前記挿口管部２の切断端部に対して被覆カバー７が所定の嵌合装着状態にあるとき、前記被覆カバー７の内側筒状カバー部７Ｃの先端面７ｂが、防蝕被覆層２Ｂの端面よりも径方向内方に少し離間した状態で位置する。
この場合、前記防蝕被覆層２Ｂの端面と被覆カバー７の内側筒状カバー部７Ｃの先端面７ｂとの間に形成される環状開口が管軸芯方向に向かって開口し、且つ、ゴム系接着剤８の一部を内側筒状カバー部７Ｃの外周面（径方向外方側の周面）に沿って管軸芯方向側に移動案内するため、ゴム系接着剤８の一部が防蝕被覆層２Ｂの内周面に接着して径方向内方への移動に対する抵抗となり、従来に比してゴム系接着剤８の一部が内側筒状カバー部７Ｃの内周面（径方向内方側の周面）よりも径方向内方側に大きくはみ出し移動することを効果的に抑制することができる。
【００４５】
尚、前記水道管Ｐ２を構成するダクタイル鋳鉄管の最大外径が、公差範囲内での変動によって前記被覆カバー７の外側筒状カバー部７Ｂの内径よりも大きくなる可能があるが、この場合、前記被覆カバー７を構成する樹脂の弾性（柔軟性）を利用して少し拡径した状態で挿口管部２の切断端部に対して密着状態で嵌合装着する。
このとき、前記被覆カバー７の外側筒状カバー部７Ｂの内周面と挿口管部２の外周面とが密着しているため、被覆カバー７の端面カバー部７Ａと挿口管部２の金属部２Ａの端面２ａとの対向面間に設けられたゴム系接着剤８の入り込みがないものの、挿口管部２の外周面に施された防蝕塗膜層の端縁が切断時に損傷して地肌が露出している部位の腐食を抑制することができる。
【００４６】
前記ゴム系接着剤８に用いられるゴムの種類としては、例えば、天然ゴム、ブチルゴム、ウレタンゴム、シリコーンゴム、スチレン−ブタジエンゴム、ニトリルゴム、ブタジエンゴム、イソプレンゴム、エチレン−プロピレンポリマー、クロロプレンゴム、フッ素ゴム、アクリルゴム、エピクロロヒドリンゴムなどが挙げられる。
また、前記ゴム系接着剤８には通常加硫剤や加硫促進剤が含有されており、この加硫剤や加硫促進剤は、使用するゴムの種類に応じて適宜選択して用いられる。
当該第１実施形態では、前記ゴム系接着剤８としてブチルゴム系接着剤を用い、前記被覆カバー７の環状凹部７Ｄの内面形状と同一の形状又はそれに近い形状に成形したものを使用した。
【００４７】
〔その他の実施形態〕
（１）上述の第１実施形態では、内周面に防蝕被覆層２Ｂが形成されている金属管２として、鋳鉄製（ダクタイル鋳鉄製）の水道管を例にあげて説明したが、鋼管製の水道管であってもよく、さらに、水道以外の分野の金属管の端部防蝕構造、例えば、金属製のガス管やケーブル類を挿通する保護管などの端部防蝕構造に本発明の技術を適用してもよい。
【００４８】
（２）上述の第１実施形態では、前記被覆カバー７の外側筒状カバー部７Ｂと端面カバー部７Ａと内側筒状カバー部７Ｃと挿入ガイド部７Ｅとを樹脂で一体成形したが、この被覆カバー７の材質としては、鋳鉄製（ダクタイル鋳鉄製）の水道管（金属管）よりも耐蝕性に優れた金属材料又は非金属材料で製作してもよい。
【００４９】
（３）上述の第１実施形態では、前記内側筒状カバー部７Ｃの外周面（径方向外方側の周面）を管軸芯と平行に形成したが、この内側筒状カバー部７Ｃの外周面を、それの先端面７ｂ側ほど径方向外方側に位置する傾斜面又は径方向内方側に位置する傾斜面に形成してもよい。
【００５０】
（４）上述の第１実施形態では、前記被覆カバー７の端面カバー部７Ａの内面と外側筒状カバー部７Ｂの内周面とで形成される環状の入隅部７ｄを、端面カバー部７Ａの内面に近づくほど小径となる傾斜面に形成したが、この環状の入隅部を、端面カバー部７Ａの内面に近づくほど小径となる弧状面又は多角面に形成してもよい。
【００５１】
（５）上述の第１実施形態では、前記被覆カバー７の端面カバー部７Ａにテーパー状外面７ａを備えた裁頭円錐筒状の挿入ガイド部７Ｅを一体形成したが、この挿入ガイド部７Ｅを、円周方向で外面が断続する横断面形状が十字等の放射形状に構成してもよい。
また、前記挿入ガイド部７Ｅが無く、前記外側筒状カバー部７Ｂと端面カバー部７Ａ及び内側筒状カバー部７Ｃとの三要素で被覆カバー７を構成してもよい。
【００５２】
（６）上述の第１実施形態では、前記挿口管部２の切断端部に対して被覆カバー７が所定の嵌合装着状態にあるとき、当該被覆カバー７の内側筒状カバー部７Ｃの先端面７ｂを、挿口管部２の金属部２Ａの端面２ａを通る管径方向に沿った平面上に配置したが、この内側筒状カバー部７Ｃの先端面７ｂを、挿口管部２の金属部２Ａの端面２ａを通る管径方向に沿った平面に対して管軸芯方向に少し偏位した位置に配置してもよい。
【００５３】
（７）上述の第１実施形態では、前記外側筒状カバー部７Ｂの内周面と内側筒状カバー部７Ｃの外周面（径方向外方側の周面）との間の径方向寸法を、装着対象管の種類の中で最大値を示す挿口管部２の金属部２Ａの最大径方向厚みよりも少し大に構成したが、この外側筒状カバー部７Ｂの内周面と内側筒状カバー部７Ｃの外周面との間の径方向寸法を、装着対象管の種類の中で最大値を示す挿口管部２の金属部２Ａの最大径方向厚みと同一に構成してもよい。
【符号の説明】
【００５４】
２      金属管（水道管）
２Ａ    金属部（防蝕被覆層を除く金属管体）
２Ｂ    防蝕被覆層
２ａ    端面
７      被覆カバー
７Ａ    端面カバー部
７Ｂ    外側筒状カバー部
７Ｃ    内側筒状カバー部
７Ｄ    環状凹部
７Ｅ    挿入ガイド部
７ａ    テーパー状外面
７ｂ    先端面
７ｄ    入隅部（傾斜面又は弧状面）
８      ゴム系接着剤
９      環状空隙
【図１】
0005548477.tif 000002
【図２】
0005548477.tif 000003
【図３】
0005548477.tif 000004
【図４】
0005548477.tif 000005